【手続補正書】
【提出日】平成20年2月20日(2008.2.20)
【手続補正１】
【補正対象書類名】明細書
【補正対象項目名】特許請求の範囲
【補正方法】変更
【補正の内容】
【特許請求の範囲】
【請求項１】
移動端末が接続可能な１以上のサブネットワークを含むドメイン内において、アドレスを構成するプレフィックスとして各サブネットワークに対応付けられた物理ネットワークプレフィックス（ＰＮＰ）とは異なるネットワークプレフィックスとして移動型の通信端末装置である移動端末用の仮想ネットワークプレフィックス（ＶＮＰ）を設定し、
前記ドメイン内に、プレフィックスベースのルーティング処理を実行する疑似マイクロモビリティネットワーク（ＱＭＭＮ）を上位とし、プレフィックスベースのルーティングに加え、移動端末宛てのパケットに対してはホストベースのルーティング処理を実行可能とする真マイクロモビリティネットワーク（ＰＭＭＮ）を下位とした階層化ネットワーク構成を形成したことを特徴とする通信処理システム。
【請求項２】
移動端末が接続可能な１以上のサブネットワークを含むドメイン内において、アドレスを構成するプレフィックスとして各サブネットワークに対応付けられた物理ネットワークプレフィックス（ＰＮＰ）とは異なるネットワークプレフィックスとして移動型の通信端末装置である移動端末用の仮想ネットワークプレフィックス（ＶＮＰ）を設定し、
前記ドメイン内に、プレフィックスベースのルーティング処理を実行する疑似マイクロモビリティネットワーク（ＱＭＭＮ）を上位とし、プレフィックスベースのルーティングに加え、移動端末宛てのパケットに対してはホストベースのルーティング処理を実行可能とする真マイクロモビリティネットワーク（ＰＭＭＮ）を下位とした階層化ネットワークを介してルーティングを実行することを特徴とする通信処理方法。
【請求項３】
ネットワークを介した通信を実行する通信端末装置において、
１以上のサブネットワークによって構成されるドメイン内の各サブネットワークに対応付けられた物理ネットワークプレフィックスと、移動端末用の仮想ネットワークプレフィックスを含むルータからの情報報告としてのルータ通知を受信し、受信したルータ通知から取得する仮想ネットワークプレフィックスと通信端末装置の識別子に基づくアドレス設定処理を実行する構成を有し、
現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納した真マイクロ登録要求メッセージ（ＰＭＲ−ＲＭ）を生成し、接続サブネットのアクセスルータに対して送信する処理を実行する構成を有することを特徴とする通信端末装置。
【請求項４】
前記通信端末装置は、
前記ドメイン内または異なるドメインのサブネット間を移動した際にルータから受信するルータ通知内に含まれる仮想ネットワークプレフィックスの値と、移動前の旧サブネットで使用していたアドレスに含まれる仮想または物理ネットワークプレフィックスの値を比較し、異なる場合にのみ受信したルータ通知内に含まれる仮想ネットワークプレフィックスに基づくアドレス生成処理を実行する構成であることを特徴とする請求項３に記載の通信端末装置。
【請求項５】
前記通信端末装置は、
前記ルータ通知内に仮想ネットワークプレフィックスの値が含まれず、物理ネットワークプレフィックスの値が含まれる場合は、受信したルータ通知内に含まれる物理ネットワークプレフィックスに基づくアドレス生成処理を実行する構成であることを特徴とする請求項３に記載の通信端末装置。
【請求項６】
前記通信端末装置は、
移動端末に対する現在のアドレスの重複検査結果を格納した真マイクロ登録確認（ＰＭＲ−Ack）メッセージを受信し、
前記真マイクロ登録確認（ＰＭＲ−Ack）メッセージに基づいて、アドレス重複が確認された場合、新たなインタフェースＩＤに基づく新たなアドレスを現在の移動端末に対するアドレスとして再設定した真マイクロ登録要求メッセージ（ＰＭＲ−ＲＭ）を生成して前記アクセスルータに対して送信する処理を実行する構成であることを特徴とする請求項３に記載の通信端末装置。
【請求項７】
前記通信端末装置は、
前記アクセスルータからの情報報告として、移動端末へルーティングを行うためのキャッシュ（Paging CacheまたはRouting CacheまたはMapping Cache）の保持時間の設定許容範囲データを格納したルータ通知（Router Advertisement）を受信し、
受信ルータ通知（Router Advertisement）内のキャッシュ（Paging CacheまたはRouting CacheまたはMapping Cache）の保持時間の設定許容範囲データに従って、各キャッシュの保持時間を設定し、設定値を前記キャッシュ（Paging CacheまたはRouting CacheまたはMapping Cache）に対応するルーティングアップデートメッセージ、または前記真マイクロ登録要求メッセージ（ＰＭＲ−ＲＭ）、または現在の端末に対するアドレスとシーケンスナンバー、ページングアップデート（更新）インターバルタイムを格納したページングアップデートメッセージ（Paging Update Message）に格納する処理を実行する構成であることを特徴とする請求項３に記載の通信端末装置。
【請求項８】
前記通信端末装置は、
アイドル（idle）状態の移動端末に対するページング要求メッセージ（Paging Request Message）を受信し、受信ページング要求メッセージ（Paging Request Message）に自己のアドレスが格納されている場合に、現端末アドレスを格納したメッセージ（ルーティングアップデートメッセージ）を生成して接続サブネットのアクセスルヘータに送信する処理を実行する構成であることを特徴とする請求項３に記載の通信端末装置。
【請求項９】
前記通信端末装置は、
通信状態から待機状態への移行時に、
現在の端末に対するアドレスとシーケンスナンバー、ページングアップデート（更新）インターバルタイムを格納したページングアップデートメッセージ（Paging Update Message）を生成して接続サブネットのアクセスルヘータに送信する処理を実行する構成であることを特徴とする請求項３に記載の通信端末装置。
【請求項１０】
ネットワークを介するデータ転送制御を実行するデータ転送制御装置であり、
アドレス設定処理を実行する移動端末に対して、
前記移動端末の接続したサブネットワークに対応付けられた物理ネットワークプレフィックス（ＰＮＰ）と、該物理ネットワークプレフィックス（ＰＮＰ）とは異なるネットワークプレフィックスとして移動端末用の仮想ネットワークプレフィックス（ＶＮＰ）とを格納したルータからの情報報告としてのルータ通知を実行する構成を有することを特徴とするデータ転送制御装置。
【請求項１１】
前記データ転送制御装置は、
移動端末の生成した現移動端末アドレスを格納したメッセージ（ルーティングアップデートメッセージ）の受信に応じて、移動端末に対するルーティング処理用データを格納したルーティングキャッシュの作成または更新処理を実行する構成であることを特徴とする請求項１０に記載のデータ転送制御装置。
【請求項１２】
前記データ転送制御装置は、
上位のデータ転送制御装置からの現在の移動端末に対するアドレスと、サブネット移動前の移動端末に対して設定されていた、移動前のサブネットに対応する旧物理ネットワークプレフィックス（Ｏｌｄ−ＰＮＰ）を格納したルーティングティアダウンメッセージの受信に応じて前記移動端末の移動前のルーティング情報を格納したルーティングキャッシュの削除処理を実行する構成であることを特徴とする請求項１０に記載のデータ転送制御装置。
【請求項１３】
前記データ転送制御装置は、
移動端末から、現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納した真マイクロ登録要求メッセージ（ＰＭＲ−ＲＭ）を受信し、
前記真マイクロ登録要求メッセージ（ＰＭＲ−ＲＭ）を、プレフィックスベースのルーティング処理を実行する疑似マイクロモビリティネットワーク（ＱＭＭＮ）と、プレフィックスベースのルーティングに加え、移動端末宛てのパケットに対してはホストベースのルーティング処理を実行可能とする真マイクロモビリティネットワーク（ＰＭＭＮ）との境界に位置する真マイクロゲートウェイルータ（ＰＭＧＲ）にそのまま転送する処理を実行する構成を有することを特徴とする請求項１０に記載のデータ転送制御装置。
【請求項１４】
前記データ転送制御装置は、
前記真マイクロゲートウェイルータ（ＰＭＧＲ）の生成した現在の移動端末に重複するアドレスが登録済みか否かの判定結果を格納した真マイクロ登録確認（ＰＭＲ−Ack）メッセージを受信すると、前記移動端末へ転送する処理を実行する構成を有することを特徴とする請求項１０に記載のデータ転送制御装置。
【請求項１５】
前記データ転送制御装置は、
ルーティングを行うためのキャッシュ（Paging CacheまたはRouting CacheまたはMapping Cache）の保持時間の設定許容範囲データを格納したルータからの情報報告としてのルータ通知（Router Advertisement）を生成して移動端末に送信する構成を有することを特徴とする請求項１０に記載のデータ転送制御装置。
【請求項１６】
前記データ転送制御装置は、
前記移動端末から、現在の移動端末に対するアドレスとシーケンスナンバー、ページングアップデート（更新）インターバルタイムを格納したページングアップデートメッセージ（Paging Update Message）を受信し、
該受信ページングアップデートメッセージ（Paging Update Message）をプレフィックスベースのルーティング処理を実行する疑似マイクロモビリティネットワーク（ＱＭＭＮ）と、プレフィックスベースのルーティングに加え、移動端末宛てのパケットに対してはホストベースのルーティング処理を実行可能とする真マイクロモビリティネットワーク（ＰＭＭＮ）との境界に位置する真マイクロゲートウェイルータ（ＰＭＧＲ）にそのまま転送する処理を実行する構成を有することを特徴とする請求項１０に記載のデータ転送制御装置。
【請求項１７】
前記データ転送制御装置は、
アイドル（idle）状態の移動端末に対するページング要求メッセージ（Paging Request Message）を受信し、受信したページング要求メッセージ（Paging Request Message）を下流サブネットへブロードキャスト（Broadcast）する処理を実行する構成を有することを特徴とする請求項１０に記載のデータ転送制御装置。
【請求項１８】
ネットワークを介するデータ転送制御を実行するデータ転送制御装置であり、
移動端末の生成した現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納した真マイクロ登録要求メッセージ（ＰＭＲ−ＲＭ）の受信に基づいて移動端末へルーティングを行うためのキャッシュ（Paging CacheまたはRouting CacheまたはMapping Cache）の作成、更新、または確認を実行する構成を有することを特徴とするデータ転送制御装置。
【請求項１９】
ネットワークを介するデータ転送制御を実行するデータ転送制御装置であり、
移動端末の移動前の古いアドレスへ送信されたデータパケットを移動後の新しいアドレスへ転送するための情報を格納したキャッシュとして、移動端末の旧アドレスと、新アドレスを対応付けたマッピングキャッシュを有し、転送データパケットの終点アドレスと前記マッピングキャッシュの旧アドレスが一致する場合に該終点アドレスを該マッピングキャッシュに格納した新アドレスに書き換えて前記転送データパケットの転送処理を実行する構成を有することを特徴とするデータ転送制御装置。
【請求項２０】
ネットワークを介するデータ転送制御を実行するデータ転送制御装置であり、
移動端末の移動前の古いアドレスへ送信されたデータパケットを移動後の新しいアドレスへ転送するための情報を格納したキャッシュとして、移動端末の旧アドレスと、新アドレスを対応付けたマッピングキャッシュを有し、
現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納したキャッシュアップデートメッセージの受信に基づいて、前記マッピングキャッシュの作成または更新処理を実行する構成を有することを特徴とするデータ転送制御装置。
【請求項２１】
ネットワークを介するデータ転送制御を実行するデータ転送制御装置であり、
現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納したルーティングアップデートメッセージの受信に基づいて、前記旧物理ネットワークプレフィックス（Ｏｌｄ−ＰＮＰ）に従って求められる次ホップルータに前記移動端末の移動前のルーティング情報を格納したルーティングキャッシュの削除処理を要求するルーティングティアダウンメッセージの送信処理を実行する構成を有することを特徴とするデータ転送制御装置。
【請求項２２】
ネットワークを介するデータ転送制御を実行するデータ転送制御装置であり、
ネットワーク接続されたアイドル（idle）状態の移動端末を記憶しておくためのキャッシュとして、移動端末対応アドレスを格納したページングキャッシュを有し、移動端末の生成した現移動端末アドレスを格納したメッセージ（ページングアップデートメッセージ）の受信に応じて前記ページングキャッシュの作成または更新を実行する構成を有することを特徴とするデータ転送制御装置。
【請求項２３】
ネットワークを介するデータ転送制御を実行するデータ転送制御装置であり、
プレフィックスベースのルーティング処理を実行する疑似マイクロモビリティネットワーク（ＱＭＭＮ）と、プレフィックスベースのルーティングに加え、移動端末宛てのパケットに対してはホストベースのルーティング処理を実行可能とする真マイクロモビリティネットワーク（ＰＭＭＮ）の境界に位置し、
移動端末の生成した現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納した真マイクロ登録要求メッセージ（ＰＭＲ−ＲＭ）の受信に基づいて、該移動端末の移動が、異なる仮想ネットワークプレフィックスの設定されたＰＭＭＮ間移動であると判定した場合、該移動端末の移動前の旧仮想ネットワークプレフィックスに対応する真マイクロモビリティネットワーク（ＰＭＭＮ）のデータ転送制御装置に対して、現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納したキャッシュアップデートメッセージを送信する構成を有することを特徴とするデータ転送制御装置。
【請求項２４】
ネットワークを介するデータ転送制御を実行するデータ転送制御装置であり、
移動端末に対する現在のアドレスの重複検査を実行し、該結果を格納した真マイクロ登録確認（ＰＭＲ−Ack）メッセージを前記移動端末の接続アクセスルータに送信する構成を有することを特徴とするデータ転送制御装置。
【請求項２５】
ネットワークを介するデータ転送制御を実行するデータ転送制御装置であり、
ルーティングを行うためのキャッシュ（Paging CacheまたはRouting CacheまたはMapping Cache）に対応するページングアップデートメッセージ、ルーティングアップデートメッセージ、キャッシュアップデートメッセージに格納され、移動端末の生成した値に基づいて前記キャッシュ（Paging CacheまたはRouting CacheまたはMapping Cache）の保持時間（Life time）を設定する構成であることを特徴とするデータ転送制御装置。
【請求項２６】
ネットワークを介するデータ転送制御を実行するデータ転送制御装置であり、
通信端末に対するアドレスとシーケンスナンバー、ページングアップデート（更新）インターバルタイムを格納したページングアップデートメッセージ（Paging Update Message）を受信し、
接続しているアイドル（idle）状態の移動端末を記憶しておくためのページングキャッシュがない場合は、前記ページングアップデートメッセージ（Paging Update Message）に基づいてページングキャッシュを生成し、ページングキャッシュが生成済みである場合は、前記シーケンスナンバーに基づいて生成済みのページングキャッシュが更新すべきであるかを確認し、更新すべき場合には更新処理を実行する構成を有することを特徴とするデータ転送制御装置。
【請求項２７】
ネットワークを介するデータ転送制御を実行するデータ転送制御装置であり、
移動端末の生成した現移動端末アドレスを格納したメッセージ（ページングアップデートメッセージ）の受信し、受信したページングアップデートメッセージの現移動端末アドレスフィールドの値に対応するアドレスに対する経路を格納したキャッシュとして、アクティブ(active)状態の移動端末へルーティングを行うためのルーティングキャッシュ（Routing Cache）があれば、そのルーティングキャッシュ（Routing Cache）を削除する処理を実行する構成を有することを特徴とするデータ転送制御装置。
【請求項２８】
ネットワークを介するデータ転送制御を実行するデータ転送制御装置であり、
データパケットを受信し、データパケットの終点アドレスに関する経路情報がアクティブ(active)状態の移動端末へルーティングを行うためのルーティングテーブル（Routing Table）もしくはルーティングキャッシュ（Routing Cache）にあればそれに従ってデータパケットを転送し、ルーティングテーブル（Routing Table）もしくはルーティングキャッシュ（Routing Cache）に前記経路情報がなく、アイドル（idle）状態の移動端末を記憶しておくためのページングキャッシュ（Paging Cache）に前記終点アドレスに関する情報が存在している場合は、ページング要求メッセージ（Paging Request Message）を下流のサブネット（Subnet）へブロードキャスト（Broadcast）する処理を実行する構成を有することを特徴とするデータ転送制御装置。
【請求項２９】
ネットワークを介するデータ転送制御を実行するデータ転送制御装置であり、
データパケットを受信し、データパケットの終点アドレスに関する経路情報がアクティブ(active)状態の移動端末へルーティングを行うためのルーティングテーブル（Routing Table）もしくはルーティングキャッシュ（Routing Cache）、もしくはアイドル（idle）状態の移動端末を記憶しておくためのページングキャッシュ（Paging Cache）になければ、移動端末の旧アドレスと、新アドレスを対応付けたマッピングキャッシュ（Mapping Cache)に、前記データパケットの終点アドレスの値と同じ旧移動端末アドレスが存在しているか調べ、存在している場合は、データパケットの終点アドレスフィールドを、マッピングキャッシュ（Mapping Cache)の新移動端末アドレスフィールドの値に書き換え、書き換えた終点アドレスに従ってデータパケットを転送する処理を実行し、存在しない場合はデータパケットを廃棄する処理を実行する構成を有することを特徴とするデータ転送制御装置。
【請求項３０】
ネットワークを介する通信処理をコンピュータ・システム上で実行せしめるプログラムであって、前記プログラムは、
１以上のサブネットワークによって構成されるドメイン内の各サブネットワークに対応付けられた物理ネットワークプレフィックスと、移動端末用の仮想ネットワークプレフィックスを含むルータからの情報報告としてのルータ通知を受信するステップと、
受信したルータ通知から取得する仮想ネットワークプレフィックスと通信端末装置の識別子に基づくアドレス設定処理を実行するステップと、
現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納した真マイクロ登録要求メッセージ（ＰＭＲ−ＲＭ）を生成し、接続サブネットのルータに対して送信するステップと、
を有することを特徴とするプログラム。
【請求項３１】
ネットワークを介する通信処理をコンピュータ・システム上で実行せしめるプログラムであって、前記プログラムは、
サブネット間を移動した際にルータから受信するルータ通知内に含まれる移動端末用アドレス構成データとしての仮想ネットワークプレフィックスの値と、移動前の旧サブネットで使用していたアドレスに含まれる仮想ネットワークプレフィックスまたは旧サブネットワークに対応付けられたアドレス構成データとしての物理ネットワークプレフィックスの値を比較するステップと、
前記比較において、両値が異なる場合にのみ受信したルータ通知内に含まれる仮想ネットワークプレフィックスに基づくアドレス生成処理を実行するステップと、
を有することを特徴とするプログラム。
【請求項３２】
ネットワークを介する通信処理をコンピュータ・システム上で実行せしめるプログラムであって、前記プログラムは、
サブネット間を移動した際にルータから受信するルータ通知内に移動端末用アドレス構成データとしての仮想ネットワークプレフィックスの値が含まれるか否かを判定するステップと、
前記ルータ通知に仮想ネットワークプレフィックスの値が含まれず、接続したサブネットワークに対応付けられたアドレス構成データとしての物理ネットワークプレフィックスの値が含まれる場合は、受信したルータ通知内に含まれる物理ネットワークプレフィックスに基づくアドレス生成処理を実行するステップと、
を有することを特徴とするプログラム。
【請求項３３】
ネットワークを介する通信処理をコンピュータ・システム上で実行せしめるプログラムであって、前記プログラムは、
自己の設定アドレスの重複の有無を示すメッセージを受信するステップと、
アドレス重複が確認された場合、新たなＩＤを生成し、生成ＩＤに基づく新たなアドレスを再設定してアドレス設定要求メッセージとしての真マイクロ登録要求メッセージ（ＰＭＲ−ＲＭ）として送信するステップと、
を有することを特徴とするプログラム。
【請求項３４】
ネットワークを介する通信処理をコンピュータ・システム上で実行せしめるプログラムであって、前記プログラムは、
端末へルーティングを行うためのキャッシュ（Paging CacheまたはRouting CacheまたはMapping Cache）の保持時間の設定許容範囲データを格納したルータ通知（Router Advertisement）を受信するステップと、
受信ルータ通知（Router Advertisement）内のキャッシュ（Paging CacheまたはRouting CacheまたはMapping Cache）の保持時間の設定許容範囲データに従って、各キャッシュの保持時間を設定し、設定値を前記キャッシュ（Paging CacheまたはRouting CacheまたはMapping Cache）に対応するルーティングアップデートメッセージ、または現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納した真マイクロ登録要求メッセージ（ＰＭＲ−ＲＭ）、または現在の端末に対するアドレスとシーケンスナンバー、ページングアップデート（更新）インターバルタイムを格納したページングアップデートメッセージ（Paging Update Message）に格納するステップと、
を有することを特徴とするプログラム。
【請求項３５】
ネットワークを介する通信処理をコンピュータ・システム上で実行せしめるプログラムであって、前記プログラムは、
アイドル（idle）状態の移動端末に対するページング要求メッセージ（Paging Request Message）を受信するステップと、
受信ページング要求メッセージ（Paging Request Message）に自己のアドレスが格納されている場合に、現端末アドレスを格納したメッセージ（ルーティングアップデートメッセージ）を生成して接続サブネットのアクセスルヘータに送信する処理を実行するステップと、
を有することを特徴とするプログラム。
【請求項３６】
ネットワークを介する通信処理をコンピュータ・システム上で実行せしめるプログラムであって、前記プログラムは、
通信状態から待機状態への移行時に、現在の端末に対するアドレスとシーケンスナンバー、ページングアップデート（更新）インターバルタイムを格納したページングアップデートメッセージ（Paging Update Message）を生成して接続サブネットのアクセスルヘータに送信するステップを有することを特徴とするプログラム。
【請求項３７】
移動端末が接続可能なサブネットワークのデータ転送制御装置において、ネットワークを介する通信処理をコンピュータ・システム上で実行せしめるプログラムであって、前記プログラムは、
サブネットワークに対応付けられた物理ネットワークプレフィックス（ＰＮＰ）と、物理ネットワークプレフィックス（ＰＮＰ）とは異なるネットワークプレフィックスとして移動型の通信端末装置である移動端末用の仮想ネットワークプレフィックス（ＶＮＰ）とを格納したルータからの情報報告としてのルータ通知を生成し、移動端末に送信するステップを有することを特徴とするプログラム。
【請求項３８】
移動端末が接続可能な１以上のサブネットワークを含むドメイン内のデータ転送制御装置において、ネットワークを介する通信処理をコンピュータ・システム上で実行せしめるプログラムであって、前記プログラムは、
移動端末の生成した現移動端末アドレスを格納したメッセージ（ルーティングアップデートメッセージ）の受信に応じて、移動端末へホストルーティングを行うためのキャッシュである移動端末対応アドレスと次ホップルータアドレスとを対応付けたルーティングキャッシュの作成または更新処理を実行するステップと、
上位のデータ転送制御装置からの現在の移動端末に対するアドレスと、サブネット移動前の移動端末に対して設定されていた、移動前のサブネットに対応する旧物理ネットワークプレフィックス（Ｏｌｄ−ＰＮＰ）を格納したルーティングティアダウンメッセージの受信に応じて前記移動端末の移動前のルーティング情報を格納したルーティングキャッシュの削除処理を実行するステップと、
を有することを特徴とするプログラム。
【請求項３９】
移動端末が接続可能な１以上のサブネットワークを含むドメイン内のデータ転送制御装置において、ネットワークを介する通信処理をコンピュータ・システム上で実行せしめるプログラムであって、前記プログラムは、
移動端末から、現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納した真マイクロ登録要求メッセージ（ＰＭＲ−ＲＭ）を受信するステップと、
前記真マイクロ登録要求メッセージ（ＰＭＲ−ＲＭ）を、プレフィックスベースのルーティング処理を実行する疑似マイクロモビリティネットワーク（ＱＭＭＮ）と、プレフィックスベースのルーティングに加え、移動端末宛てのパケットに対してはホストベースのルーティング処理を実行可能とする真マイクロモビリティネットワーク（ＰＭＭＮ）との境界に位置する真マイクロゲートウェイルータ（ＰＭＧＲ）に転送するステップと、
前記真マイクロゲートウェイルータ（ＰＭＧＲ）の生成した現在の移動端末に重複するアドレスが登録済みか否かの判定結果を格納した真マイクロ登録確認（ＰＭＲ−Ack）メッセージを、前記真マイクロゲートウェイルータ（ＰＭＧＲ）から受信するステップと、
前記真マイクロ登録確認（ＰＭＲ−Ack）メッセージを前記移動端末へ送信するステップと、
を有することを特徴とするプログラム。
【請求項４０】
移動端末が接続可能な１以上のサブネットワークを含むドメイン内のデータ転送制御装置において、ネットワークを介する通信処理をコンピュータ・システム上で実行せしめるプログラムであって、前記プログラムは、
ルーティングを行うためのキャッシュ（Paging CacheまたはRouting CacheまたはMapping Cache）の保持時間の設定許容範囲データを格納した情報報告としてのルータ通知（Router Advertisement）を生成するステップと、
生成ルータ通知（Router Advertisement）を移動端末に送信するステップと、
を有することを特徴とするプログラム。
【請求項４１】
移動端末が接続可能な１以上のサブネットワークを含むドメイン内のデータ転送制御装置において、ネットワークを介する通信処理をコンピュータ・システム上で実行せしめるプログラムであって、前記プログラムは、
移動端末から、現在の移動端末に対するアドレスとシーケンスナンバー、ページングアップデート（更新）インターバルタイムを格納したページングアップデートメッセージ（Paging Update Message）を受信するステップと、
該受信ページングアップデートメッセージ（Paging Update Message）をプレフィックスベースのルーティング処理を実行する疑似マイクロモビリティネットワーク（ＱＭＭＮ）と、プレフィックスベースのルーティングに加え、移動端末宛てのパケットに対してはホストベースのルーティング処理を実行可能とする真マイクロモビリティネットワーク（ＰＭＭＮ）との境界に位置する真マイクロゲートウェイルータ（ＰＭＧＲ）にそのまま転送する処理を実行するステップと、
を有することを特徴とするプログラム。
【請求項４２】
移動端末が接続可能な１以上のサブネットワークを含むドメイン内のデータ転送制御装置において、ネットワークを介する通信処理をコンピュータ・システム上で実行せしめるプログラムであって、前記プログラムは、
アイドル（idle）状態の移動端末に対するページング要求メッセージ（Paging Request Message）を受信するステップと、
受信したページング要求メッセージ（Paging Request Message）を下流ルータへブロードキャスト（Broadcast）する処理を実行するステップと、
を有することを特徴とするプログラム。
【請求項４３】
移動端末が接続可能な１以上のサブネットワークを含むドメイン内のデータ転送制御装置において、ネットワークを介する通信処理をコンピュータ・システム上で実行せしめるプログラムであって、前記プログラムは、
移動端末の生成した現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納した真マイクロ登録要求メッセージ（ＰＭＲ−ＲＭ）の受信に基づいて移動端末へルーティングを行うためのキャッシュ（Paging CacheまたはRouting CacheまたはMapping Cache）の作成、更新、または確認を実行するステップ、
を有することを特徴とするプログラム。
【請求項４４】
移動端末が接続可能な１以上のサブネットワークを含むドメイン内のデータ転送制御装置において、ネットワークを介する通信処理をコンピュータ・システム上で実行せしめるプログラムであって、前記プログラムは、
転送データパケットの終点アドレスと、移動端末の旧アドレスと、新アドレスを対応付けたマッピングキャッシュの旧アドレスとを比較するステップと、
前記マッピングキャッシュの旧アドレスが転送データパケットの終点アドレスに一致する場合に該終点アドレスを前記マッピングキャッシュに格納した新アドレスに書き換えて前記転送データパケットの転送処理を実行するステップと、
を有することを特徴とするプログラム。
【請求項４５】
移動端末が接続可能な１以上のサブネットワークを含むドメイン内のデータ転送制御装置において、ネットワークを介する通信処理をコンピュータ・システム上で実行せしめるプログラムであって、前記プログラムは、
現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納したキャッシュアップデートメッセージの受信ステップと、
前記キャッシュアップデートメッセージに基づいて、移動端末の旧アドレスと、新アドレスを対応付けたマッピングキャッシュの作成または更新処理を実行するステップと、
を有することを特徴とするプログラム。
【請求項４６】
移動端末が接続可能な１以上のサブネットワークを含むドメイン内のデータ転送制御装置において、ネットワークを介する通信処理をコンピュータ・システム上で実行せしめるプログラムであって、前記プログラムは、
現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納したルーティングアップデートメッセージの受信ステップと、
前記旧物理ネットワークプレフィックス（Ｏｌｄ−ＰＮＰ）に従って求められる次ホップルータに前記移動端末の移動前のルーティング情報を格納したルーティングキャッシュの削除処理を要求するルーティングティアダウンメッセージの送信処理を実行するステップと、
を有することを特徴とするプログラム。
【請求項４７】
移動端末が接続可能な１以上のサブネットワークを含むドメイン内のデータ転送制御装置において、ネットワークを介する通信処理をコンピュータ・システム上で実行せしめるプログラムであって、前記プログラムは、
移動端末の生成した現移動端末アドレスを格納したメッセージとしてのページアップデートメッセージを受信するステップと、
前記ページアップデートメッセージの受信に応じて、ネットワーク接続されたアイドル（idle）状態の移動端末を記憶しておくためのキャッシュとして移動端末対応アドレスを格納したページングキャッシュの作成または更新を実行するステップと、
を有することを特徴とするプログラム。
【請求項４８】
移動端末が接続可能な１以上のサブネットワークを含むドメイン内のデータ転送制御装置において、ネットワークを介する通信処理をコンピュータ・システム上で実行せしめるプログラムであって、前記プログラムは、
移動端末の生成した現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納した真マイクロ登録要求メッセージ（ＰＭＲ−ＲＭ）を受信するステップと、
前記真マイクロ登録要求メッセージ（ＰＭＲ−ＲＭ）の受信に基づいて、該移動端末の移動が、異なる仮想ネットワークプレフィックスの設定された真マイクロモビリティネットワーク（ＰＭＭＮ）間移動であると判定した場合、該移動端末の移動前の旧仮想ネットワークプレフィックスに対応する真マイクロモビリティネットワーク（ＰＭＭＮ）のデータ転送制御装置に対して、現在の移動端末に対するアドレスと、サブネット移動前の移動端末に対して設定されていた旧移動端末アドレス、および、移動前のサブネットに対応する旧物理ネットワークプレフィックス（Ｏｌｄ−ＰＮＰ）を格納したキャッシュアップデートメッセージを送信するステップと、
を有することを特徴とするプログラム。
【請求項４９】
移動端末が接続可能な１以上のサブネットワークを含むドメイン内のデータ転送制御装置において、ネットワークを介する通信処理をコンピュータ・システム上で実行せしめるプログラムであって、前記プログラムは、
移動端末に対する現在のアドレスの重複検査を実行し、該結果を格納した真マイクロ登録確認（ＰＭＲ−Ack）メッセージを前記移動端末の接続アクセスルータに送信するステップを有することを特徴とするプログラム。
【請求項５０】
移動端末が接続可能な１以上のサブネットワークを含むドメイン内のデータ転送制御装置において、ネットワークを介する通信処理をコンピュータ・システム上で実行せしめるプログラムであって、前記プログラムは、
ルーティングを行うためのキャッシュ（Paging CacheまたはRouting CacheまたはMapping Cache）に対応するページングアップデートメッセージ、ルーティングアップデートメッセージ、キャッシュアップデートメッセージに格納され、移動端末の生成した値に基づいて前記キャッシュ（Paging CacheまたはRouting CacheまたはMapping Cache）の保持時間（Life time）を設定するステップを有することを特徴とするプログラム。
【請求項５１】
移動端末が接続可能な１以上のサブネットワークを含むドメイン内のデータ転送制御装置において、ネットワークを介する通信処理をコンピュータ・システム上で実行せしめるプログラムであって、前記プログラムは、
通信端末に対するアドレスとシーケンスナンバー、ページングアップデート（更新）インターバルタイムを格納したページングアップデートメッセージ（Paging Update Message）を受信スルステップと、
接続しているアイドル（idle）状態の移動端末を記憶しておくためのページングキャッシュがない場合は、前記ページングアップデートメッセージ（Paging Update Message）に基づいてページングキャッシュを生成し、ページングキャッシュが生成済みである場合は、前記シーケンスナンバーに基づいて生成済みのページングキャッシュが更新すべきであるかを確認し、更新すべき場合には更新処理を実行するステップと、
を有することを特徴とするプログラム。
【請求項５２】
移動端末が接続可能な１以上のサブネットワークを含むドメイン内のデータ転送制御装置において、ネットワークを介する通信処理をコンピュータ・システム上で実行せしめるプログラムであって、前記プログラムは、
移動端末の生成した現移動端末アドレスを格納したメッセージ（ページアップデートメッセージ）の受信するステップと、
受信したページングアップデートメッセージの現移動端末アドレスフィールドの値に対応するアドレスに対する経路を格納したキャッシュとして、アクティブ(active)状態の移動端末へルーティングを行うためのルーティングキャッシュ（Routing Cache）があれば、そのルーティングキャッシュ（Routing Cache）を削除する処理を実行するステップと、
を有することを特徴とするプログラム。
【請求項５３】
移動端末が接続可能な１以上のサブネットワークを含むドメイン内のデータ転送制御装置において、ネットワークを介する通信処理をコンピュータ・システム上で実行せしめるプログラムであって、前記プログラムは、
データパケットを受信するステップと、
データパケットの終点アドレスに関する経路情報がアクティブ(active)状態の移動端末へルーティングを行うためのルーティングテーブル（Routing Table）もしくはルーティングキャッシュ（Routing Cache）にあればそれに従ってデータパケットを転送し、ルーティングテーブル（Routing Table）もしくはルーティングキャッシュ（Routing Cache）に前記経路情報がなく、アイドル（idle）状態の移動端末を記憶しておくためのページングキャッシュ（Paging Cache）に前記終点アドレスに関する情報が存在している場合は、ページング要求メッセージ（Paging Request Message）を下流のサブネット（Subnet）へブロードキャスト（Broadcast）する処理を実行するステップと、
を有することを特徴とするプログラム。
【請求項５４】
移動端末が接続可能な１以上のサブネットワークを含むドメイン内のデータ転送制御装置において、ネットワークを介する通信処理をコンピュータ・システム上で実行せしめるプログラムであって、前記プログラムは、
データパケットを受信するステップと、
データパケットの終点アドレスに関する経路情報がアクティブ(active)状態の移動端末へルーティングを行うためのルーティングテーブル（Routing Table）もしくはルーティングキャッシュ（Routing Cache）、もしくはアイドル（idle）状態の移動端末を記憶しておくためのページングキャッシュ（Paging Cache）になければ、移動端末の旧アドレスと、新アドレスを対応付けたマッピングキャッシュ（Mapping Cache)に、前記データパケットの終点アドレスの値と同じ旧移動端末アドレスが存在しているか調べ、存在している場合は、データパケットの終点アドレスフィールドを、マッピングキャッシュ（Mapping Cache)の新移動端末アドレスフィールドの値に書き換え、書き換えた終点アドレスに従ってデータパケットを転送する処理を実行し、存在しない場合はデータパケットを廃棄する処理を実行するステップと、
を有することを特徴とするプログラム。
【手続補正２】
【補正対象書類名】明細書
【補正対象項目名】００３１
【補正方法】削除
【補正の内容】
【手続補正３】
【補正対象書類名】明細書
【補正対象項目名】００３２
【補正方法】削除
【補正の内容】
【手続補正４】
【補正対象書類名】明細書
【補正対象項目名】００３３
【補正方法】削除
【補正の内容】
【手続補正５】
【補正対象書類名】明細書
【補正対象項目名】００３４
【補正方法】削除
【補正の内容】
【手続補正６】
【補正対象書類名】明細書
【補正対象項目名】００３５
【補正方法】削除
【補正の内容】
【手続補正７】
【補正対象書類名】明細書
【補正対象項目名】００３６
【補正方法】削除
【補正の内容】
【手続補正８】
【補正対象書類名】明細書
【補正対象項目名】００３７
【補正方法】削除
【補正の内容】
【手続補正９】
【補正対象書類名】明細書
【補正対象項目名】００３８
【補正方法】削除
【補正の内容】
【手続補正１０】
【補正対象書類名】明細書
【補正対象項目名】００３９
【補正方法】削除
【補正の内容】
【手続補正１１】
【補正対象書類名】明細書
【補正対象項目名】００４０
【補正方法】削除
【補正の内容】
【手続補正１２】
【補正対象書類名】明細書
【補正対象項目名】００４１
【補正方法】削除
【補正の内容】
【手続補正１３】
【補正対象書類名】明細書
【補正対象項目名】００４２
【補正方法】削除
【補正の内容】
【手続補正１４】
【補正対象書類名】明細書
【補正対象項目名】００４３
【補正方法】削除
【補正の内容】
【手続補正１５】
【補正対象書類名】明細書
【補正対象項目名】００４４
【補正方法】削除
【補正の内容】
【手続補正１６】
【補正対象書類名】明細書
【補正対象項目名】００４５
【補正方法】削除
【補正の内容】
【手続補正１７】
【補正対象書類名】明細書
【補正対象項目名】００４６
【補正方法】削除
【補正の内容】
【手続補正１８】
【補正対象書類名】明細書
【補正対象項目名】００４７
【補正方法】削除
【補正の内容】
【手続補正１９】
【補正対象書類名】明細書
【補正対象項目名】００４８
【補正方法】削除
【補正の内容】
【手続補正２０】
【補正対象書類名】明細書
【補正対象項目名】００４９
【補正方法】削除
【補正の内容】
【手続補正２１】
【補正対象書類名】明細書
【補正対象項目名】００５０
【補正方法】削除
【補正の内容】
【手続補正２２】
【補正対象書類名】明細書
【補正対象項目名】００５１
【補正方法】削除
【補正の内容】
【手続補正２３】
【補正対象書類名】明細書
【補正対象項目名】００５２
【補正方法】削除
【補正の内容】
【手続補正２４】
【補正対象書類名】明細書
【補正対象項目名】００５３
【補正方法】削除
【補正の内容】
【手続補正２５】
【補正対象書類名】明細書
【補正対象項目名】００５４
【補正方法】削除
【補正の内容】
【手続補正２６】
【補正対象書類名】明細書
【補正対象項目名】００５５
【補正方法】削除
【補正の内容】
【手続補正２７】
【補正対象書類名】明細書
【補正対象項目名】００５６
【補正方法】削除
【補正の内容】
【手続補正２８】
【補正対象書類名】明細書
【補正対象項目名】００５８
【補正方法】削除
【補正の内容】
【手続補正２９】
【補正対象書類名】明細書
【補正対象項目名】００５９
【補正方法】削除
【補正の内容】
【手続補正３０】
【補正対象書類名】明細書
【補正対象項目名】００６０
【補正方法】削除
【補正の内容】
【手続補正３１】
【補正対象書類名】明細書
【補正対象項目名】００６１
【補正方法】削除
【補正の内容】
【手続補正３２】
【補正対象書類名】明細書
【補正対象項目名】００６２
【補正方法】削除
【補正の内容】
【手続補正３３】
【補正対象書類名】明細書
【補正対象項目名】００６３
【補正方法】削除
【補正の内容】
【手続補正３４】
【補正対象書類名】明細書
【補正対象項目名】００６４
【補正方法】削除
【補正の内容】
【手続補正３５】
【補正対象書類名】明細書
【補正対象項目名】００６５
【補正方法】削除
【補正の内容】
【手続補正３６】
【補正対象書類名】明細書
【補正対象項目名】００６６
【補正方法】削除
【補正の内容】
【手続補正３７】
【補正対象書類名】明細書
【補正対象項目名】００６７
【補正方法】削除
【補正の内容】
【手続補正３８】
【補正対象書類名】明細書
【補正対象項目名】００６８
【補正方法】削除
【補正の内容】
【手続補正３９】
【補正対象書類名】明細書
【補正対象項目名】００６９
【補正方法】削除
【補正の内容】
【手続補正４０】
【補正対象書類名】明細書
【補正対象項目名】００７０
【補正方法】削除
【補正の内容】
【手続補正４１】
【補正対象書類名】明細書
【補正対象項目名】００７１
【補正方法】削除
【補正の内容】
【手続補正４２】
【補正対象書類名】明細書
【補正対象項目名】００７２
【補正方法】削除
【補正の内容】
【手続補正４３】
【補正対象書類名】明細書
【補正対象項目名】００７３
【補正方法】削除
【補正の内容】
【手続補正４４】
【補正対象書類名】明細書
【補正対象項目名】００７４
【補正方法】削除
【補正の内容】
【手続補正４５】
【補正対象書類名】明細書
【補正対象項目名】００７５
【補正方法】削除
【補正の内容】
【手続補正４６】
【補正対象書類名】明細書
【補正対象項目名】００７６
【補正方法】削除
【補正の内容】
【手続補正４７】
【補正対象書類名】明細書
【補正対象項目名】００７７
【補正方法】削除
【補正の内容】
【手続補正４８】
【補正対象書類名】明細書
【補正対象項目名】００７８
【補正方法】削除
【補正の内容】
【手続補正４９】
【補正対象書類名】明細書
【補正対象項目名】００７９
【補正方法】削除
【補正の内容】
【手続補正５０】
【補正対象書類名】明細書
【補正対象項目名】００８０
【補正方法】削除
【補正の内容】
【手続補正５１】
【補正対象書類名】明細書
【補正対象項目名】００８１
【補正方法】削除
【補正の内容】
【手続補正５２】
【補正対象書類名】明細書
【補正対象項目名】００８２
【補正方法】削除
【補正の内容】
【手続補正５３】
【補正対象書類名】明細書
【補正対象項目名】００８３
【補正方法】削除
【補正の内容】